(57)【特許請求の範囲】
【請求項１】
先寄りの部分にブラシ毛が放射状に取り付けられたブラシ軸に固着されたストッパを、内視鏡の処置具挿通チャンネルに挿脱される可撓性チューブの先端内に固定した内視鏡用細胞診ブラシにおいて、
上記可撓性チューブの軸線に対して略垂直方向から上記可撓性チューブの内径を横切る深さのＶ字状の切り込み溝が形成されて、上記可撓性チューブ内に緩く挿通配置された操作ワイヤの先端が上記切り込み溝より先側において上記ストッパに固定され、上記操作ワイヤが上記切り込み溝の前後の位置において上記可撓性チューブに形成された一対の孔に通されてその間で上記可撓性チューブ外に配置されて、上記操作ワイヤを手元側から進退操作することにより、上記可撓性チューブの先端部分が上記切り込み溝部分で屈曲するようにしたことを特徴とする内視鏡用細胞診ブラシ。
【請求項２】
上記ストッパに、軸線方向に流体通路が形成されている請求項１記載の内視鏡用細胞診ブラシ。
【発明の詳細な説明】
【０００１】
【発明の属する技術分野】
この発明は、体内細胞を採取するために内視鏡の処置具挿通チャンネルに挿脱される内視鏡用細胞診ブラシに関する。
【０００２】
【従来の技術】
内視鏡用細胞診ブラシは一般に、先寄りの部分にブラシ毛が放射状に取り付けられたブラシ軸が、内視鏡の処置具挿通チャンネルに挿脱される密着巻きのコイルパイプ等の先端に連結された構成になっている。
【０００３】
【発明が解決しようとする課題】
内視鏡は使用後に完全な洗浄、消毒を行う必要があるが、内視鏡用細胞診ブラシやその他の内視鏡用処置具も全く同様であり、完全な洗浄、消毒が施されていないものを次の症例に使用すると患者間感染発生のおそれがある。
【０００４】
しかし、上述のような従来の内視鏡用細胞診ブラシにおいては、コイルパイプ内を完全に洗浄、消毒するのは不可能に近いので、患者間感染のおそれなく使用するには内視鏡用細胞診ブラシを一回毎に使い捨てにする必要があり、極めて不経済であった。
【０００５】
そこで本発明は、内視鏡の処置具挿通チャンネルに挿脱される部分の洗浄、消毒を、使用後に全長にわたって確実かつ容易に行うことができ、患者間感染のおそれなく繰り返し使用することができる内視鏡用細胞診ブラシを提供することを目的とする。
【０００６】
【課題を解決するための手段】
上記の目的を達成するため、本発明の内視鏡用細胞診ブラシは、先寄りの部分にブラシ毛が放射状に取り付けられたブラシ軸に、軸線方向に流体通路が形成されたストッパを固着し、内視鏡の処置具挿通チャンネルに挿脱される可撓性チューブの先端内にストッパを固定したものである。
【０００７】
なお、可撓性チューブの軸線に対して略垂直方向から可撓性チューブの内径を横切る深さのＶ字状の切り込み溝が形成されて、可撓性チューブ内に緩く挿通配置された操作ワイヤの先端が切り込み溝より先側においてストッパに固定され、操作ワイヤが切り込み溝の前後の位置において可撓性チューブに形成された一対の孔に通されてその間で可撓性チューブ外に配置されて、操作ワイヤを手元側から進退操作することにより、可撓性チューブの先端部分が切り込み溝部分で屈曲するようにしてもよい。
【０００８】
【発明の実施の形態】
図面を参照して本発明の実施例を説明する。
図３は、本発明の参考例の内視鏡用細胞診ブラシを示しており、１は、図示されていない内視鏡の処置具挿通チャンネルに挿脱される例えば四フッ化エチレン樹脂チューブ製の可撓性チューブである。
【０００９】
可撓性チューブ１の基端には、注射器等を接続するための接続口金１０が取り付けられており、可撓性チューブ１の先端からは、ブラシ毛１２がブラシ軸１１に放射状に取り付けられて突出している。
【００１０】
図１は可撓性チューブ１の先端部分を示しており、ブラシ毛１２はブラシ軸１１の先端寄りの部分に取り付けられており、ブラシ軸１１の残りの部分は可撓性チューブ１の先端内に通されて、その基端にストッパ２が固着されている。ストッパ２は、その前後の位置で可撓性チューブ１を加熱縮径させることにより可撓性チューブ１の先端近傍内に固定されている。
【００１１】
ストッパ２は、II−II断面を図示する図２にも示されるように、ステンレス鋼パイプ材を凹状に変形させた断面形状に形成されており、その凹み部にブラシ軸１１の基端が銀ロー付け等により固着されている。
【００１２】
ストッパ２のブラシ軸１１によって塞がれていない部分は、ストッパ２を軸線方向に貫通する流体通路３になっており、可撓性チューブ１が、ストッパ２部分において閉塞されることなく連通している。
【００１３】
したがって、接続口金１０から可撓性チューブ１内に洗浄水や消毒液等を注入すると、その洗浄水や消毒液は流体通路３を通過して可撓性チューブ１の先端から送り出され、可撓性チューブ１内を全長にわたって確実かつ容易に洗浄、消毒することができる。
【００１４】
図４は、本発明の実施例の内視鏡用細胞診ブラシを示しており、可撓性チューブ１内には、ステンレス鋼線の撚り線からなる操作ワイヤ５が基端側から先端近傍まで挿通配置されている。
【００１５】
操作ワイヤ５は、可撓性チューブ１内に流体を通す支障にならないように、可撓性チューブ１の内径寸法に対して十分に小さな外径寸法になっており、可撓性チューブ１内において軸線方向に進退自在である。
【００１６】
可撓性チューブ１の先端近傍（例えば先端から１〜５ｃｍ程度の位置）には、可撓性チューブ１の軸線に対して略垂直方向からＶ字状の切り込み溝４が形成されている。
【００１７】
可撓性チューブ１に対する切り込み溝４の深さは、可撓性チューブ１の内径を横切る程度であり、可撓性チューブ１の厚み分だけが切り込まれずに残っている。また、切り込み溝４の底部はエッジ状ではなく、小さな曲面状に形成されており、その部分での曲げが繰り返された後でも可撓性チューブ１に亀裂が発生し難い。
【００１８】
可撓性チューブ１には、切り込み溝４を挟んでその近傍の前後の位置に一対の孔６が穿設されており、操作ワイヤ５がその一対の孔６に通されて、一対の孔６の間において可撓性チューブ１外に配置されている。
【００１９】
そして、操作ワイヤ５の先端部分は、可撓性チューブ１内の切り込み溝４より先側の位置に配置されたストッパ２の後半部分に、銀ロー付け等によって固着されている。
【００２０】
可撓性チューブ１の基端に連結された操作部２０においては、可撓性チューブ１内に連通する接続口金１０が操作部本体２１に突設されており、接続口金１０に注射器等を接続して、可撓性チューブ１内に注液をすることができる。２４はシール用のＯリングである。
【００２１】
また、操作ワイヤ５の基端に取り付けられた指掛け２３を操作部本体２１に対して相対的に移動させることにより、操作ワイヤ５を軸線方向に進退操作して可撓性チューブ１の先端部分を遠隔操作によって任意に屈曲させることができる。
【００２２】
図５は、そのようにして屈曲する可撓性チューブ１の先端部分を示しており、操作ワイヤ５が操作部２０側から牽引操作されると、二点鎖線で示されるように、Ｖ字状に開いていた切り込み溝４が閉じる方向に、可撓性チューブ１の先端が切り込み溝４部分で屈曲する。
【００２３】
また、操作ワイヤ５が操作部２０側から押し込み操作されると、実線で示されるように、切り込み溝４のＶ字状の開きをさらに大きくする方向に、可撓性チューブ１の先端が切り込み溝４部分で屈曲する。
【００２４】
このような湾曲機構付きの内視鏡用細胞診ブラシにおいても、参考例と同様に、ストッパ２に形成された流体通路３によって可撓性チューブ１内が最先端まで連通しているので、参考例と同様の処理により、可撓性チューブ１内を全長にわたって確実に洗浄、消毒することができる。
【００２５】
なお、本発明は上記実施例に限定されるものではなく、例えば、ストッパ２を単純な筒状に形成して、その内周面にブラシ軸１１の基端を固着してもよい。
【００２６】
【発明の効果】
本発明によれば、先寄りの部分にブラシ毛が放射状に取り付けられたブラシ軸に、軸線方向に流体通路が形成されたストッパを固着し、内視鏡の処置具挿通チャンネルに挿脱される可撓性チューブの先端内にストッパを固定したことにより、使用後には可撓性チューブ内に全長にわたって洗浄水や消毒液等を通して、内視鏡の処置具挿通チャンネルに挿脱される部分の洗浄、消毒を確実かつ容易に行うことができ、患者間感染のおそれなく繰り返し使用することができる。
【図面の簡単な説明】
【図１】  本発明の参考例の内視鏡用細胞診ブラシの先端部分の側面断面図である。
【図２】  本発明の参考例の図１におけるII−II断面図である。
【図３】  本発明の参考例の内視鏡用細胞診ブラシの全体構成を一部を断面で示す側面図である。
【図４】  本発明の実施例の内視鏡用細胞診ブラシの全体構成の側面断面図である。
【図５】  本発明の実施例の内視鏡用細胞診ブラシの先端部分の側面断面図である。
【符号の説明】
１  可撓性チューブ
２  ストッパ
３  流体通路
４  切り込み溝
５  操作ワイヤ
１０  接続口金
１１  ブラシ軸
１２  ブラシ毛
２０  操作部
【図１】
0004050014.tif 000002
【図２】
0004050014.tif 000003
【図３】
0004050014.tif 000004
【図４】
0004050014.tif 000005
【図５】
0004050014.tif 000006